(57)【要約】【課題】人の手を煩わすことなく、かつ外部に洗浄廃液等を飛散させることなく、エアコン内部の熱交換器や送風ファン及びその周囲の洗浄を確実に行い、黴びやダニの発生を回避し、常にエアコン内部を衛生的に保持できるようにすること。【解決手段】壁掛け型のエアコン室内機の前面側熱交換器１ａ１、１ａ２の前面上部に配した噴霧管２ａ、後面側熱交換器１ｂ１の後面上部に配した噴霧管２ｂ及び送風ファン３の上方に配した噴霧管２ｃと、噴霧管２ａ、２ｂ、２ｃに洗浄液及びリンス水を順次供給する供給装置４と、洗浄動作時以外には、エアコン室内機の後面側に待避し、洗浄動作時に送風ファン３の下方に進出する廃液回収樋５と、廃液回収樋５の以上の移動動作を行う回収樋駆動部６と、供給装置４、エアコンの送風ファン３、回収樋駆動部６の動作を制御するコントローラ７とで構成する。【選択図】  図１
2012163297.tif 000002
【特許請求の範囲】
【請求項１】
壁掛け型のエアコン室内機の前面側熱交換器の前面上部、後面側熱交換器の後面上部及び送風ファンの上方に各々配した洗浄液及びリンス水の噴霧手段と、
前記エアコン室内機のケーシングの外部に付設した、前記噴霧手段に洗浄液及びリンス水を選択的に供給する洗浄液及びリンス水の供給手段と、
前記エアコン室内機の後面側に待避して待機する洗浄廃液を回収するための廃液回収樋であって、前記噴霧手段並びに前記洗浄液及びリンス水の供給手段による洗浄動作時に、前記送風ファンの下方に進出して該送風ファン及びその周辺から流れ落ちる洗浄廃液を受け取って前記前面側熱交換器の下方のドレンパンに導入する廃液回収樋と、
前記廃液回収樋の前記エアコン室内機の後面側への待避動作及び前記送風ファンの下方への進出動作を行う回収樋駆動手段と、
洗浄開始の指令を与えると、エアコン室内機の後面に待避している前記廃液回収樋を前記送風ファンの下方に進出させるべく前記回収樋駆動手段を制御し、次いで、前記送風ファンに弱運転をさせた上で、前記洗浄液及びリンス水の供給手段に一定時間の洗浄液の供給動作をさせ、これによって前記噴霧手段から洗浄液の噴霧動作を行わせ、引き続いて、供給対象を洗浄液からリンス水に切り換えさせて他の一定時間のリンス水の供給動作をさせ、これによって前記噴霧手段からリンス水の噴霧動作を行わせ、その終了後に、前記送風ファンの弱運転を更に他の一定時間継続させ、その終了後に、前記廃液回収樋をエアコン室内機の後面側に待避させるべく前記回収樋駆動手段を制御する制御手段と、
で構成した組込式エアコン洗浄装置。
【請求項２】
前記噴霧手段を、前記前面側熱交換器、前記後面側熱交換器及び前記送風ファンのそれぞれの横方向の長さに対応する長さの横向きのパイプ体と、該パイプ体の周側下部にその長さ方向に沿って配列した多数の噴出口又はその長さ方向に沿って形成した噴出スリットと、で構成した請求項１の組込式エアコン洗浄装置。
【請求項３】
前記回収樋駆動手段を、前記廃液回収樋の両側をスライド自在に支持し、前記エアコン室内機の後面側と前記送風ファンの下方との間を案内するレール部材と、該廃液回収樋の一側外面に構成したラックと、該ラックに噛み合うピニオンと、該ピニオンを回転駆動する電動モータとで構成した請求項１又は２の組込式エアコン洗浄装置。
【請求項４】
前記制御手段に定期的に洗浄開始の指令を与えるタイマー手段を付設した請求項１、２又は３の組込式エアコン洗浄装置。
【発明の詳細な説明】
【技術分野】
【０００１】
本発明は、建築物の室内の空気調和のために用いるエアコンの室内機に組み込んで使用する組込式エアコン洗浄装置であって、エアコンの運転中に室内機の内部の空気の流路や送風ファン及び熱交換機等に付着した塵埃等を除去することができる組込式エアコン洗浄装置に関する。
【背景技術】
【０００２】
エアコン（空気調和機）は、基本的にエアフィルタ、熱交換器及び送風ファンを備え、室内の空気を吸い込み口から吸い込んで該エアフィルタ及び熱交換器を通じて冷却又は加温して吹出口から吹き出すようになっているのが普通である。吸い込んだ空気中の塵埃はエアフィルタで除去されることになっているが、細かなものはこれを通過し、熱交換器のフィンや流路の内面に付着するもの、或いは該熱交換器を通過して吹出口から吹き出されるものもある。
【０００３】
塵埃が熱交換器のフィンに付着すると、徐々に堆積して熱交換効率が低下し、加えて、流路に付着すると、更に通風経路の通風を阻害するようになり、性能が低下することになる。また同時に人体に有害なダニや黴びの発生の原因ともなり、不快な臭気の発生その他の問題が生じるに至る。熱交換器で生じるドレンにこれらが混入してドレンパンに流下した場合には、これを放置すると、ドレンパン内部でもカビの発生等が甚だしくなり、その内部はどぶのような極めて不衛生な状態になる。
【０００４】
このような問題に対処する手段として、特許文献１の空気調和機がある。
これは、壁掛け型の空気調和機に於いて、その熱交換器の表面側、或いは裏面側にスプレーノズルを設け、かつ、熱交換器のほぼ全幅に渡って液体を噴霧できる位置に可動式のスプレーノズル、或いは、固定式のスプレーノズルを設け、加えて、これらで液体を噴霧する際にその直前に作動して、送風ファンをカバーすることとなる可動式の防滴カバーをも設けたものである。
【０００５】
この空気調和機は、洗浄動作時には、熱交換器の洗浄を行うものであるが、その洗浄の際には、防滴カバーで送風ファンをカバーしてしまうため、送風ファンの洗浄は当然できないし、単にスプレーノズルで熱交換器に洗浄液を噴霧するだけであるため、その全体やその周辺に満遍なく洗浄液を付着させることは困難であり、やはりその洗浄動作は不完全なものとならざるを得ない。
【０００６】
また同様な目的の装置に特許文献２の熱交換器用自動洗浄装置がある。
これは、空気調和機の熱交換器の側面に洗浄液を噴霧すべく、該熱交換器の側面に近接して配する洗浄液噴霧管と、該洗浄液噴霧管に洗浄液を供給する洗浄液供給部とで構成した後付タイプの熱交換器用自動洗浄装置であり、該洗浄液供給部を、洗浄液収容用のタンクと、該タンクと該洗浄液噴霧管とを繋ぐ洗浄液供給用配管及び該洗浄液噴霧管と該タンクとの間のいずれかの部位に配する該タンク中の洗浄液を該洗浄液噴霧管に供給するポンプ装置とで構成したものである。
【０００７】
従ってこの特許文献２の熱交換器用自動洗浄装置によれば、種々のタイプの空気調和機や冷凍機等の熱交換器に付設してその洗浄のために用いることができるが、送風ファンを同時に洗浄することはできない。
【先行技術文献】
【特許文献】
【０００８】
【特許文献１】特開平１１−３３７１０５号公報
【特許文献２】特開２００９−２５０５６５号公報
【発明の概要】
【発明が解決しようとする課題】
【０００９】
本発明は、人の手を煩わすことなく、かつ外部に洗浄廃液等を飛散させることなく、エアコン室内機内部の熱交換器や送風ファン及びその周囲の洗浄を確実に行い、黴びやダニの発生を回避し、常にエアコン内部を衛生的に保持できるようにし得る、壁掛け型のエアコンに組み込んで使用する組込式エアコン洗浄装置を提供することを解決の課題とする。
【課題を解決するための手段】
【００１０】
本発明の１は、壁掛け型のエアコン室内機の前面側熱交換器の前面上部、後面側熱交換器の後面上部及び送風ファンの上方に各々配した洗浄液及びリンス水の噴霧手段と、
前記エアコン室内機のケーシングの外部に付設した、前記噴霧手段に洗浄液及びリンス水を選択的に供給する洗浄液及びリンス水の供給手段と、
前記エアコン室内機の後面側に待避して待機する洗浄廃液を回収するための廃液回収樋であって、前記噴霧手段並びに前記洗浄液及びリンス水の供給手段による洗浄動作時に、前記送風ファンの下方に進出して該送風ファン及びその周辺から流れ落ちる洗浄廃液を受け取って前記前面側熱交換器の下方のドレンパンに導入する廃液回収樋と、
前記廃液回収樋の前記エアコン室内機の後面側への待避動作及び前記送風ファンの下方への進出動作を行う回収樋駆動手段と、
洗浄開始の指令を与えると、エアコン室内機の後面に待避している前記廃液回収樋を前記送風ファンの下方に進出させるべく前記回収樋駆動手段を制御し、次いで、前記送風ファンに弱運転をさせた上で、前記洗浄液及びリンス水の供給手段に一定時間の洗浄液の供給動作をさせ、これによって前記噴霧手段から洗浄液の噴霧動作を行わせ、引き続いて、供給対象を洗浄液からリンス水に切り換えさせて他の一定時間のリンス水の供給動作をさせ、これによって前記噴霧手段からリンス水の噴霧動作を行わせ、その終了後に、前記送風ファンの弱運転を更に他の一定時間継続させ、その終了後に、前記廃液回収樋をエアコン室内機の後面側に待避させるべく前記回収樋駆動手段を制御する制御手段と、
で構成した組込式エアコン洗浄装置である。
【００１１】
本発明の２は、本発明の１の組込式エアコン洗浄装置において、
前記噴霧手段を、前記前面側熱交換器、前記後面側熱交換器及び前記送風ファンのそれぞれの横方向の長さに対応する長さの横向きのパイプ体と、該パイプ体の周側下部にその長さ方向に沿って配列した多数の噴出口又はその長さ方向に沿って形成した噴出スリットと、で構成したものである。
【００１２】
本発明の３は、本発明の１又は２の組込式エアコン洗浄装置において、
前記回収樋駆動手段を、前記廃液回収樋の両側をスライド自在に支持し、前記エアコン室内機の後面側と前記送風ファンの下方との間を案内するレール部材と、該廃液回収樋の一側外面に構成したラックと、該ラックに噛み合うピニオンと、該ピニオンを回転駆動する電動モータとで構成したものである。
【００１３】
本発明の４は、本発明の１、２又は３の組込式エアコン洗浄装置において、
前記制御手段に定期的に洗浄開始の指令を与えるタイマー手段を付設したものである。
【発明の効果】
【００１４】
本発明の１の組込式エアコン洗浄装置によれば、例えば、１か月に１度程度の期間間隔で、押しボタンスイッチ等を利用して前記制御手段に洗浄開始の指令を与えると、その制御によって、該エアコン室内機に組み込んだ、前記回収樋駆動手段が動作し、廃液回収樋に所定の移動動作をさせ、該エアコンの送風ファンに当該エアコン室内機における最弱の送風動作をさせつつ、洗浄液及びリンス水の供給手段で順次洗浄液及びリンス水を供給し、噴霧手段から噴霧させ、該エアコン室内機の熱交換器、送風ファン及びその周辺の部材に対する洗浄動作を自動的に行わせることができる。極めて簡易に常時エアコンを清浄な状態に保持することができる。
【００１５】
若干詳しく述べると、洗浄液及びリンス水の供給手段にエアコン室内機内の熱交換器及び送風ファン等の洗浄を行うために適当な洗浄液及び洗浄後のすすぎ用の水をリンス水として用意しておき、前記のように、例えば、１か月に１度程度の期間間隔で本発明の１の組込式エアコン洗浄装置に洗浄動作を行わせる。
【００１６】
洗浄動作は、該エアコンの運転を停止させた上で、単に前記制御手段に洗浄開始の指令を与えるだけで開始させることができる。これは、前記したように、例えば、そのために用意した押しボタンスイッチを押圧操作することで実行することができる。該制御手段に洗浄開始の指令を与える手段は以上の押しボタンスイッチに限らず適当な手段を種々採用することができる。
【００１７】
制御手段に洗浄開始の指令を与えると、該制御手段は、以下のように、各部を動作させるべく制御する。
【００１８】
先ず、前記回収樋駆動手段を動作させて、エアコン室内機の後面側に待避している前記廃液回収樋を前記送風ファンの下方に進出させ、その位置に停止させておく。次いで、組込対象のエアコン室内機の送風ファンに弱運転をさせ、その状態を継続させる。この弱運転は、組込対象のエアコンにおける最弱の運転状態の送風ファンの送風動作である。
【００１９】
この後、前記洗浄液及びリンス水の供給手段に一定時間の洗浄液の供給動作をさせる。これは、例えば、２０秒〜３０秒程度の時間の供給動作であり、これによって、当然、供給を受けた前記噴霧手段から洗浄液の噴霧動作が同じ時間行われることになる。該噴霧手段は、エアコン室内機の前面側熱交換器の前面上部、後面側熱交換器の後面上部及び送風ファンの上方に各々配してあり、それぞれ前面側熱交換器の前面及び後面側熱交換器の後面の上部並びに送風ファンの上方から噴霧され、両熱交換器では、そのフィンの間等を伝わりつつ流下する。このとき、前記のように、該送風ファンが弱運転の運転状態となっているので、両熱交換器に付着した洗浄液及び噴霧手段から噴霧される洗浄液は広く飛散することとなり、それぞれの部材に満遍なく付着接触し、更にその周辺の部材にも良好に付着接触することになる。それ故、エアコン室内機内部の広い範囲の洗浄を効率的に行うことができる。
【００２０】
送風ファンの上方の噴霧手段から噴霧される洗浄液は、その風力により飛散され、広がりながら該送風ファンに付着し、更に両熱交換器の裏面側にも付着し、それぞれを満遍なく洗浄しつつ流下することとなる。
【００２１】
後面側熱交換器を流下する洗浄液はいずれ廃液となって概ねその最下部に配してあるドレンパンに流下し、前面側熱交換器を流下する洗浄液はやはり廃液となってその最下部に配してあるドレンパンに流下する。各ドレンパンに流下した洗浄廃液は、液位が所定レベルに達すれば、エアコン室内機に備えられているドレンポンプが働いて排液される。送風ファンから流下する洗浄廃液及びその周辺でドレンパンに流下できない洗浄廃液は、前記廃液回収樋上に流下し又は滴下し、この上を流下して前記前面側熱交換器の下方のドレンパンに流入することになる。
【００２２】
前記一定時間が経過すると、洗浄液及びリンス水の供給手段の洗浄液の供給動作を終了させ、リンス水の供給動作に切り換え、該洗浄液及びリンス水の供給手段に他の一定時間、例えば、２０秒〜３０秒程度の時間、リンス水の供給動作をさせる。これによって、当然、供給を受けた前記噴霧手段からリンス水の噴霧動作が同じ時間行われることになる。そして、先に洗浄液に関して述べたのと同様に、リンス水は、エアコン室内機の後面側熱交換器、前面側熱交換器、送風ファン及びそれらの周辺に満遍なく接触し、洗浄液及びこれに溶け込んだ汚れ等を流下させ、かつそれらを良好にすすぐことができることになる。流下するリンス水は廃水となって直接に各ドレンパンに流下して排水され、または前記廃液回収樋に流下し又は滴下した上で、前面側熱交換器の下方のドレンパンに流れ込み、ここから排水されることになる。
【００２３】
こうして前記一定時間が経過すると、洗浄液及びリンス水の供給手段のリンス水の供給動作を終了させ、前記送風ファンの弱運転を更に他の一定時間、例えば、４０秒〜１２０秒程度継続させて水切りを行う。その一定時間の終了後に、該送風ファンの弱運転を停止させた上で、前記回収樋駆動手段を動作させて、前記廃液回収樋をエアコン室内機の後面側に待避させる。
【００２４】
以上で制御手段の制御による組込式エアコン洗浄装置の洗浄動作は終了である。
単に押しボタンスイッチ等を利用して前記制御手段に洗浄開始の指令を与えるだけで、エアコン室内機の洗浄が可能であり、かつ、以上に述べたように、エアコン室内機内の隅々まで極めて良好に洗浄を行うことができる。
【００２５】
本発明の２の組込式エアコン洗浄装置によれば、極めて簡易な構成で、洗浄液及びリンス水を、前記前面側熱交換器、後面側熱交換器及び送風ファンに良好に噴霧することができる。
【００２６】
本発明の３の組込式エアコン洗浄装置によれば、極めて簡単な構成で、前記廃液回収樋をエアコン室内機の後面側に待避動作させ、かつ前記送風ファンの下方に進出動作させることができる。
【００２７】
本発明の４の組込式エアコン洗浄装置によれば、その定期的な洗浄動作が自動的に行われるので、エアコンの洗浄時期の管理をする必要なく、適切な時期に洗浄動作が行われ、常時エアコン室内機を清浄な状態に保持することができる。
【図面の簡単な説明】
【００２８】
【図１】組込式エアコン洗浄装置を組み込んだ一実施例のエアコン室内機の洗浄動作をしていない状態の側面説明図。
【図２】組込式エアコン洗浄装置を組み込んだ一実施例のエアコン室内機の洗浄動作をしている状態の側面説明図。
【図３】(a)は組込式エアコン洗浄装置を組み込んだ一実施例のエアコン室内機の廃液回収樋及び回収樋駆動部の構成を示す後面側の説明図、(b)は廃液回収樋及び回収樋駆動部の構成を示す側面説明図、(c)は廃液回収樋及び回収樋駆動部の構成を示す斜め上方から見た部分斜視図。
【図４】(a)は噴霧管及び供給ホースの長さ方向に沿って断面した一部切欠断面説明図、(b)は噴霧管を長さ方向に直交する方向に断面した断面説明図。
【図５】組込式エアコン洗浄装置の全体構成を示す概念図。
【発明を実施するための形態】
【００２９】
発明を実施するための形態を実施例に基づき図面を参照しながら詳細に説明する。
【００３０】
この実施例の組込式エアコン洗浄装置は、基本的に、図１〜図３及び図５に示すように、壁掛け型のエアコン室内機の前面側に位置する前面側熱交換器１ａ１、１ａ２の前面上部に配した噴霧管（噴霧手段）２ａ、後面側熱交換器１ｂ１の後面上部に配した噴霧管（噴霧手段）２ｂ及び送風ファン３の上方に配した噴霧管（噴霧手段）２ｃと、これらの噴霧管２ａ、２ｂ、２ｃに洗浄液及びリンス水を順次選択的に供給する供給装置（供給手段）４と、洗浄動作時以外には、エアコン室内機の後面側に待避し、洗浄動作時に送風ファン３の下方に進出する廃液回収樋５と、該廃液回収樋５の以上の移動動作を行わせる回収樋駆動部（回収樋駆動手段）６と、前記供給装置４、組込対象のエアコンの送風ファン３、回収樋駆動部６等の動作を制御するコントローラ（制御手段）７とで構成したものである。
【００３１】
前記噴霧管２ａ、２ｂ、２ｃは、取り付ける位置が異なるだけで、図４(a)、(b)に示すように、それら自体は同一寸法形状であり、パイプ体２ａ１（２ｂ１、２ｃ１）と、その周側下部にその長さ方向に沿って配列した多数の噴出口２ａ２（２ｂ２、２ｃ２）と、該パイプ体２ａ１（２ｂ１、２ｃ１）の一端に構成した供給ホースｈとの接続部２ａ３（２ｂ３、２ｃ３）とからなり、該パイプ体２ａ１（２ｂ１、２ｃ１）の長さは、前記前面側熱交換器１ａ１、１ａ２、前記後面側熱交換器１ｂ１及び前記送風ファン３の横方向の長さに対応するそれとする。
【００３２】
なお、この実施例では、前記のように、洗浄液等の噴霧のための手段としてパイプ体２ａ１（２ｂ１、２ｃ１）に多数の噴出口２ａ２（２ｂ２、２ｃ２）を構成しているが、これに代えてスリットを形成することもできる。この場合は、該スリットは、前記パイプ体２ａ１（２ｂ１、２ｃ１）の一端から他端までの周側下部に一条を形成するのが適当である。
【００３３】
前記噴霧管２ａ、２ｂ、２ｃは、その一端の接続部２ａ３（２ｂ３、２ｃ３）に供給ホースｈを接続し、図５に示すように、これを介して前記供給装置４の後記ポンプ４ａと接続する。
【００３４】
以上の噴霧管２ａ、２ｂ、２ｃのうち、噴霧管２ａは、図１及び図２に示すように、エアコン室内機の前面側熱交換器１ａ１、１ａ２の内、上部側のそれの前面上部に図示しない取付手段を介して取り付け、噴霧管２ｂも同様に後面側熱交換器１ｂ１の後面上部に図示しない取付手段を介して取り付ける。噴霧管２ｃは、前記送風ファン３の上方まで吊り下げ手段で吊り下げるものである。
【００３５】
前記供給装置４は、図５に示すように、洗浄液を収容する洗浄液タンク４ｂと、リンス水を収容するリンス水タンク４ｃと、洗浄液タンク４ｂの洗浄液又はリンス水タンク４ｃのリンス水のいずれかを前記供給ホースｈを介して前記噴霧管２ａ、２ｂ、２ｃに供給するポンプ４ａと、該洗浄液タンク４ｂの洗浄液と該リンス水タンク４ｃのリンス水のいずれかを切り換え選択するための切替弁４ｄとで構成したものである。
【００３６】
なお、以上のポンプ４ａ及び切替弁４ｄは、必要な機能を備えていれば、特定のそれに限定されない。
【００３７】
前記廃液回収樋５は、図３(a)〜(c)に示すように、側面から見て部分円弧状の樋本体５ａと、その両端内側に構成した側壁部５ｂ、５ｂとで構成したものである。
【００３８】
また前記回収樋駆動部６は、図１、図２及び図３(a)〜(c)に示すように、該樋本体５ａの両側端をスライド自在に支持し、エアコン室内機の後面側と前記送風ファン３の下方との間を案内するレール部材６ａ、６ａと、該樋本体５ａの一側外面に構成したラック６ｂと、該ラック６ｂに噛み合うピニオン６ｃと、該ピニオン６ｃを回転駆動する電動モータ６ｄとで構成したものである。該ラック６ｂ及びピニオン６ｃは、この実施例では、該樋本体５ａの一側外周にのみ構成したが、両側外周に構成することも可能であり、その方がより動作が確実になる。またその場合は、一方のピニオン６ｃの軸を反対側まで延長して他方のピニオンと同軸にし、一つの電動モータ６ｄで両方のピニオン６ｃを回転駆動するように構成する。
【００３９】
この実施例のレール部材６ａ、６ａは、図３(c)に示すように、断面コ字形の部材で、これが、廃液回収樋５の曲率で構成され、そのコ字形溝中に廃液回収樋５の樋本体５ａの両側端を各々スライド自在に装入するようになっている。また該レール部材６ａ、６ａは、図１及び図２に示すように、エアコン室内機の後面側の両側から送風ファン３の下方両側までに設置され、その下端側は、前面側熱交換器１ａ１、１ａ２の下方のそれの下端下に位置するドレンパン１ａ３の内側部の直上まで延長するようになっている。
【００４０】
前記回収樋駆動部６は、この実施例では、以上のように構成したものであるが、廃液回収樋５を、エアコン室内機の後面側と前記送風ファン３の下方との間を必要に応じて移動させることができる構成であれば、以上の構成に限定されない。
【００４１】
前記コントローラ７には、図５に示すように、その操作部に押しボタン型スイッチである洗浄開始ボタン７ａ及びリセットボタン７ｂが配してあり、前者の洗浄開始ボタン７ａを押圧操作すると、このコントローラ７に洗浄動作を制御するように、すなわち、前記供給装置４のポンプ４ａ、前記切替弁４ｄ、前記回収樋駆動部６及び前記送風ファン３を洗浄動作するように制御するようになっている。また後者のリセットボタン７ｂは、これを押圧操作すると、この組込式エアコン洗浄装置が、停電その他の何らかの事情で途中で停止した状態になっている場合に、該供給装置４のポンプ４ａ、該切替弁４ｄ、該回収樋駆動部６及び該送風ファン３を初期状態に復帰させるようになっているものである。
【００４２】
該コントローラ７の洗浄開始ボタン７ａを押圧操作すると、具体的には、該コントローラ７は、該供給装置４のポンプ４ａ、該切替弁４ｄ、該回収樋駆動部６及び該送風ファン３を以下のように制御する。
【００４３】
初めに、エアコン室内機の後面に待避している前記廃液回収樋５を前記送風ファン３の下方に進出させるべく、前記回収樋駆動部６を制御する。詳細には、前記電動モータ６ｄに回転駆動動作させ、その駆動軸に結合するピニオン６ｃを回転動作させ、ラック６ｂを介して、エアコン室内機の後面に待避状態になっている廃液回収樋５を前記レール部材６ａ、６ａに沿って送風ファン３の下方まで移動させる。該廃液回収樋５の先端（下端）が前記前面側熱交換器１ａ１、１ａ２の下方のそれの下端下に位置するドレンパン１ａ３の内側部直上まで移動したところで、該廃液回収樋５の移動動作を停止させる。
【００４４】
次いで、組込対象のエアコンの運転を制御し、エアコンの複数の運転モードの内の最も弱い弱運転モードで前記送風ファン３の送風運転を開始させる。その後、前記洗浄液及びリンス水の供給装置４に一定時間の洗浄液の供給動作をさせる。具体的には、前記切替弁４ｄを洗浄液タンク４ｂ側がポンプ４ａに接続するように切り換えた上で、該一定時間、この実施例では、予め設定した２５秒間だけ該ポンプ４ａを動作させ、前記噴霧管２ａ、２ｂ、２ｃに洗浄液の噴霧動作をさせる。引き続いて、供給対象を洗浄液からリンス水に切り換えさせて他の一定時間のリンス水の供給動作をさせる。具体的には、該切替弁４ｄを切り換え制御し、リンス水タンク４ｃがポンプ４ａに接続するようにし、該ポンプ４ａにより、同様にリンス水を該噴霧管２ａ、２ｂ、２ｃに供給し、これらに一定時間、この実施例では、予め設定した２５秒間ほどその噴霧動作をさせる。
【００４５】
その一定時間の終了時点で、該ポンプ４ａの動作を停止させるが、更に一定時間、この実施例では、予め設定した８０秒間ほど前記送風ファン３の弱運転モードを継続させ、その一定時間の経過後に、該送風ファン３の動作を停止させ、前記廃液回収樋５をエアコン室内機の後面側に待避させるべく前記回収樋駆動部６を制御する。具体的には、前記電動モータ６ｄを逆回転駆動させて、廃液回収樋５をエアコン室内機の後面側に待避させる。
【００４６】
前記コントローラ７は、前記切替弁４ｄ、前記回収樋駆動部６及び前記送風ファン３の動作を以上のように制御すべく構成してある。
【００４７】
なお、この実施例では、以上のコントローラ７は、前記洗浄開始ボタン７ａの押圧操作により制御動作を開始させるものであるが、定期的に該コントローラ７に洗浄開始の指令を与えるタイマー手段を付設することも可能である。
【００４８】
従ってこの実施例の組込式エアコン洗浄装置によれば、例えば、１か月に１度程度の期間間隔で、該エアコンの運転を停止した上で、洗浄開始ボタン７ａを押圧操作すると、その都度、対象のエアコン室内機の洗浄動作が自動的に行われる。
【００４９】
予め、前記供給装置４の洗浄液タンク４ｂに洗浄液を充填し、リンス水タンク４ｃにリンス水を充填しておく。洗浄液としては、種々のそれを使用可能であるが、十分な洗浄力、特に乾燥油脂類に対する分解力が強力であり、抗菌作用を有し、エアコン素材に対する悪影響（腐蝕、劣化、変色）がなく、洗浄終了後のエアコンの通常運転時に悪臭が発生しないものであることが望ましい。またリンス水は単なる水を採用することも可能であるが、抗菌作用を有するものであることが望ましい。
【００５０】
前記のように、エアコンの運転停止状態で、洗浄開始ボタン７ａが押圧操作されると、前記回収樋駆動部６が動作し、図１に示すように、エアコン室内機の後面側に待避している前記廃液回収樋５が、図２に示すように、前記送風ファン３の下方に進出し、その位置に停止状態になる。このとき該廃液回収樋５の先端（下端）は、同図に示すように、前記前面側熱交換器１ａ１、１ａ２の下方のそれの下端下に位置するドレンパン１ａ３の内側部の直上まで進出状態となる。
【００５１】
次いで、対象エアコンの送風ファン３がこのエアコンにおける最弱の運転状態の送風動作を開始し、これを継続する。
【００５２】
この後、前記供給装置４の切替弁４ｄが所定の切り換え動作をし、ポンプ４ａが洗浄液タンク４ｂの洗浄液を噴霧管２ａ、２ｂ、２ｃに送り出す動作をし、該噴霧管２ａ、２ｂ、２ｃから洗浄液の噴霧動作が行われる。噴霧管２ａ、２ｂの洗浄液の噴霧により、前面側熱交換器１ａ１、１ａ２の前面側及び後面側熱交換器１ｂ１の後面側にその噴霧が行われ、この時、前記のように、送風ファン３が送風動作を行っているので、該噴霧管２ａ、２ｂから噴霧された洗浄液は、広く飛散し、各々の熱交換器１ａ１、１ａ２、１ｂ１に満遍なく接触し、さらにはその周囲の冷風又は温風の流路面にも広く満遍なく付着し、これらの洗浄作用を良好に行うことができる。
【００５３】
また前記噴霧管２ｃから噴霧される洗浄液は、下方の送風ファン３の送風作用により、やはり広く飛散し、その一部は、前面側熱交換器１ａ１、１ａ２の後面側及び後面側熱交換器１ｂ１の前面側に付着し、他は、該送風ファン３の送風作用で拡散されながら、該送風ファン３に付着し、これらに対して洗浄作用を果たすことになる。送風ファン３に対する洗浄作用は、これ自体が回転しているので、一層、その各部に対して満遍なく洗浄液を接触させることが可能になり、極めて良好に行うことができる。
【００５４】
こうして洗浄作用に用いられた洗浄液は徐々に流下し、その一部は廃液となって後面側熱交換器１ｂ１の下方に配してあるドレンパン１ｂ２に流れ落ち、他の一部は廃液となって前面側熱交換器１ａ１、１ａ２の下方に配してあるドレンパン１ａ３に流れ落ち、更にそれ以外の中央側を降下する洗浄廃液は前記廃液回収樋５上に流れ落ちることになる。また該廃液回収樋５上に流れ落ちた洗浄廃液は、その傾斜に従って流下し、その先端（下端）から前記前面側熱交換器１ａ１、１ａ２の下方のドレンパン１ａ３中に流れ落ちることになる。それぞれのドレンパン１ａ３、１ｂ２中に流れ落ちた洗浄廃液は、そのエアコンに配されている配管等を通じてその排水方式に従って排水されることになる。こうして洗浄廃液は、特別な操作を必要とすることなく、排水されることになる。
【００５５】
こうして所定時間（この実施例の場合は２５秒間）の洗浄動作が完了すると、前記供給装置４の切替弁４ｄが所定の切り換え動作をし、ポンプ４ａがリンス水タンク４ｃのリンス水を噴霧管２ａ、２ｂ、２ｃに送り出す動作をし、該噴霧管２ａ、２ｂ、２ｃからそのリンス水の噴霧動作が行われる。このリンス水の噴霧は、先に洗浄液の噴霧に関して述べたのと全く同様に行われ、エアコン室内機の後面側熱交換器１ｂ１、前面側熱交換器１ａ１、１ａ２、送風ファン３及びそれらの周辺の冷風及び温風の流路内面に満遍なく接触し、洗浄液及びこれに溶け込んだ汚れ等を良好に流下させ、かつそれらの各々を良好にすすぐことになる。流下するリンス水は廃水となって直接に前記各ドレンパン１ａ３、１ｂ２に流下して排水され、または前記廃液回収樋５上に流下した上で、前記前面側熱交換器１ａ１、１ａ２の下方のドレンパン１ａ３に流れ込み、ここから排水されることになる。
【００５６】
こうして所定時間（この実施例の場合は、２５秒間）が経過すると、前記供給装置４のポンプ４ａの動作が停止するに至り、リンス水の供給動作が終了する。この後は、前記送風ファン３の弱運転のみが継続し、これが所定時間（この実施例の場合は８０秒間）行われ、水切りが行われる。この水切り時間が経過すると、該送風ファン３の弱運転が停止し、前記回収樋駆動部６が当初とは逆向きの動作をし、図１に示すように、前記廃液回収樋５をエアコン室内機の後面側に待避させる。こうしてこの実施例の組込式エアコン洗浄装置による洗浄動作は終了する。
【００５７】
単に洗浄開始ボタン７ａを押圧操作するのみで、エアコン室内機の洗浄が可能であり、かつ、以上に述べたように、エアコン室内機内の隅々まで極めて良好に洗浄を行うことができる。
【符号の説明】
【００５８】
１ａ１  前面側熱交換器（上部側）
１ａ２  前面側熱交換器（下部側）
１ａ３  ドレンパン
１ｂ１  後面側熱交換器
１ｂ２  ドレンパン
２ａ  前面側熱交換器の前面上部に配した噴霧管（噴霧手段）
２ａ１  パイプ体
２ａ２  噴出口
２ａ３  接続部
２ｂ  後面側熱交換器の後面上部に配した噴霧管（噴霧手段）
２ｂ１  パイプ体
２ｂ２  噴出口
２ｂ３  接続部
２ｃ  送風ファンの上方に配した噴霧管（噴霧手段）
２ｃ１  パイプ体
２ｃ２  噴出口
２ｃ３  接続部
３    送風ファン
４    供給装置（供給手段）
４ａ  ポンプ
４ｂ  洗浄液タンク
４ｃ  リンス水タンク
４ｄ  切替弁
５    廃液回収樋
５ａ  樋本体
５ｂ  側壁部
６    回収樋駆動部（回収樋駆動手段）
６ａ  レール部材
６ｂ  ラック
６ｃ  ピニオン
６ｄ  電動モータ
７    コントローラ（制御手段）
７ａ  洗浄開始ボタン
７ｂ  リセットボタン
ｈ    供給ホース
【図１】
2012163297.tif 000003
【図２】
2012163297.tif 000004
【図３】
2012163297.tif 000005
【図４】
2012163297.tif 000006
【図５】
2012163297.tif 000007